(57)【要約】【課題】  この発明は、放送時間の変更があっても予約した番組の録画し損なったり視聴し損なったりすることのない番組予約装置を提供することを目的とする。【解決手段】  デジタル放送用ＥＰＧ取得部９ａは、アナログ放送用ＥＰＧ取得部５ａがアナログ放送用電子番組表情報を取得するよりも高い頻度で、デジタル放送用電子番組表情報を取得するとともに、予約番組がサイマル放送であり、かつ、デジタル放送用電子番組表情報から得られたその予約番組の放送開始時刻及び放送終了時刻のそれぞれが予約設定情報の予約開始時刻及び予約終了時刻のそれぞれと差異がある場合に、デジタル放送用電子番組表情報に基づいて予約設定情報を変更するようにした。【選択図】  図１
2008028692.tif 000002
【特許請求の範囲】
【請求項１】
複数のアナログチャンネルのアナログ放送信号を受信するアナログ放送受信手段と、
所定の時刻に、前記複数のアナログチャンネルのうち、アナログ放送用電子番組表情報を前記アナログ放送信号に含めて送信している所定のアナログチャンネルを選択し、前記アナログ放送受信手段によって受信される前記アナログ放送信号から前記アナログ放送用電子番組表情報を取得するアナログ放送情報取得手段と、
前記アナログ放送用電子番組表情報の中から予約のために選択された番組の、アナログチャンネル、予約開始時刻、及び、予約終了時刻からなる予約設定情報を設定する予約設定手段と、
複数のデジタルチャンネルのデジタル放送信号を受信するデジタル放送受信手段と、
前記複数のデジタルチャンネルのそれぞれの前記デジタル放送信号から、前記アナログ放送情報取得手段が前記アナログ放送用電子番組表情報を取得するよりも高い頻度で、デジタル放送用電子番組表情報を取得するデジタル放送情報取得手段と、
前記選択された番組がサイマル放送であるか否かを判別するサイマル放送判別手段と、
前記選択された番組に対応する前記デジタル放送用電子番組表情報から得られる放送開始時刻及び放送終了時刻のそれぞれが、前記選択された番組の前記予約設定情報に含まれる予約開始時刻及び予約終了時刻のそれぞれと差異があるか否かを判別する時刻差異判別手段と、
前記サイマル放送判別手段の出力と前記時刻差異判別手段の出力とに基づいて、前記予約設定情報を変更する予約設定情報変更手段と、
前記複数のアナログチャンネルのうち、前記予約設定情報に基づいて対応するアナログチャンネルを選択し、前記アナログ放送受信手段によって受信される前記アナログ放送信号からアナログ映像音声情報を取得するアナログ映像音声情報取得手段と、
を備えることを特徴とする番組予約装置。
【請求項２】
予約設定情報変更手段は、予約設定手段によって予約設定情報に設定された選択された番組がサイマル放送判別手段によってサイマル放送であると判別された場合に、時刻差異判別手段が差異があるか否かを判別し、差異があると判別された場合に、デジタル放送用電子番組表情報に基づいて前記予約設定情報を変更することを特徴とする請求項１に記載の番組予約装置。
【請求項３】
サイマル放送判別手段は、予約設定手段によって新たに選択された番組の、アナログチャンネル、予約開始時刻、及び、予約終了時刻が、予約設定情報に追加される際に、デジタル放送用電子番組表情報とアナログ放送用電子番組表情報に基づいて、前記番組がサイマル放送であるか否か判別することを特徴とする請求項１または請求項２に記載の番組予約装置。
【請求項４】
デジタル放送用電子番組表情報とアナログ放送用電子番組表情報に基づいて、複数のアナログチャンネルの中に、常時サイマル放送を送信するサイマルチャンネルが有るか無いかを判別するサイマルチャンネル判別手段と、
をさらに備え、
予約設定手段によって選択された番組のうちで、前記番組を放送するアナログチャンネルが前記サイマルチャンネル判別手段によってサイマルチャンネルであると判別された場合には、予約設定情報変更手段が、前記アナログチャンネルのすべての番組の予約設定情報を、デジタル放送用電子番組表情報に基づいて変更することを特徴とする請求項１乃至３のいずれか１項に記載の番組予約装置。
【請求項５】
デジタル放送信号から、デジタル映像音声情報を取得するデジタル映像音声情報取得手段と、
アナログ映像音声情報の波形と前記デジタル映像音声情報の波形を比較して、複数のアナログチャンネルの中に、常時サイマル放送を送信するサイマルチャンネルが有るか無いかを判別するサイマルチャンネル判別手段と、
をさらに備え、
予約設定手段によって選択された番組のうちで、アナログチャンネルが前記サイマルチャンネル判別手段によってサイマル放送であると判別された場合には、時刻差異判別手段によって差異があると判別したか否かに関わらず、予約設定情報変更手段が、前記アナログチャンネルのすべての番組の予約設定情報を、デジタル放送用電子番組表情報に基づいて変更することを特徴とする請求項１乃至３のいずれか１項に記載の番組予約装置。
【請求項６】
予約設定情報変更手段は、予約設定情報に設定された選択された番組の予約開始時刻及び予約終了時刻をデジタル放送用電子番組表情報から得られる前記選択された番組の放送開始時刻及び放送終了時刻に変更することを特徴とする請求項１乃至５のいずれか１項に記載の番組予約装置。
【請求項７】
予約設定情報変更手段は、予約設定情報に設定された選択された番組の予約開始時刻をデジタル放送用電子番組表情報から得られる前記選択された番組の放送開始時刻に変更することを特徴とする請求項１乃至５のいずれか１項に記載の番組予約装置。
【請求項８】
予約設定情報変更手段は、予約設定情報に設定された選択された番組の予約終了時刻をデジタル放送用電子番組表情報から得られる前記選択された番組の放送終了時刻に変更することを特徴とする請求項１乃至５のいずれか１項に記載の番組予約装置。
【請求項９】
複数のアナログチャンネルのアナログ放送信号を受信するアナログ放送受信手段と、
所定の時刻に、前記複数のアナログチャンネルのうち、アナログ放送用電子番組表情報を前記アナログ放送信号に含めて送信している所定のアナログチャンネルを選択し、前記アナログ放送受信手段によって受信される前記アナログ放送信号から前記アナログ放送用電子番組表情報を取得するアナログ放送情報取得手段と、
前記アナログ放送用電子番組表情報の中から予約のために選択された番組の、アナログチャンネル、予約開始時刻、及び、予約終了時刻からなるアナログ予約設定情報を設定するアナログ予約設定手段と、
前記複数のアナログチャンネルのうち、前記アナログ予約設定情報に基づいて対応するアナログチャンネルを選択し、前記アナログ放送受信手段によって受信される前記アナログ放送信号からアナログ映像音声情報を取得するアナログ映像音声情報取得手段と、
複数のデジタルチャンネルのデジタル放送信号を受信するデジタル放送受信手段と、
前記複数のデジタルチャンネルのそれぞれの前記デジタル放送信号から、前記アナログ放送情報取得手段が前記アナログ放送用電子番組表情報を取得するよりも高い頻度で、デジタル放送用電子番組表情報を取得するデジタル放送情報取得手段と、
前記選択された番組がサイマル放送であるか否かを判別するサイマル放送判別手段と、
前記選択された番組に対応する前記デジタル放送用電子番組表情報から得られる放送開始時刻及び放送終了時刻のそれぞれが、前記選択された番組の前記予約設定情報に含まれる予約開始時刻及び予約終了時刻のそれぞれと差異があるか否かを判別する時刻差異判別手段と、
前記サイマル放送判別手段の出力と前記時刻差異判別手段の出力とに基づいて、デジタル予約設定情報を設定するデジタル予約設定手段と、
前記複数のデジタルチャンネルのうち、前記デジタル予約設定情報に基づいて対応するデジタルチャンネルを選択し、前記デジタル放送受信手段によって受信される前記デジタル放送信号からデジタル映像音声情報を取得するデジタル映像音声情報取得手段と、
を備えることを特徴とする番組予約装置。
【請求項１０】
デジタル予約設定手段は、アナログ予約設定手段によってアナログ予約設定情報に設定された選択された番組がサイマル放送判別手段によってサイマル放送であると判別された場合に、時刻差異判別手段が差異があるか否かを判別し、差異があると判別された場合に、前記サイマル放送であると判別された前記選択された番組をデジタル放送用電子番組表情報に基づいてデジタル予約設定情報に設定することを特徴とする請求項９に記載の番組予約装置。
【請求項１１】
請求項１乃至９のいずれか１項に記載の番組予約装置を備えることを特徴とする映像表示装置。
【請求項１２】
請求項１乃至１０のいずれか１項に記載の番組予約装置を備えることを特徴とする映像記録装置。
【請求項１３】
複数のアナログチャンネルのアナログ放送信号を受信するアナログ放送受信ステップと、
前記アナログ放送信号から、アナログ映像音声情報を取得するアナログ映像音声情報取得ステップと、
所定の時刻に、前記複数のアナログチャンネルのうち、アナログ放送用電子番組表情報を前記アナログ放送信号に含めて送信している所定のアナログチャンネルを選択し、前記アナログ放送受信ステップにおいて受信される前記アナログ放送信号から前記アナログ放送用電子番組表情報を取得するアナログ放送情報取得ステップと、
前記アナログ放送用電子番組表情報の中から予約のために選択された番組の、アナログチャンネル、予約開始時刻、及び、予約終了時刻からなる予約設定情報を設定する予約設定ステップと、
複数のデジタルチャンネルのデジタル放送信号を受信するデジタル放送受信ステップと、
前記複数のデジタルチャンネルのそれぞれの前記デジタル放送信号から、前記アナログ放送情報取得ステップにおいて前記アナログ放送用電子番組表情報を取得するよりも高い頻度で、デジタル放送用電子番組表情報を取得するデジタル放送情報取得ステップと、
前記選択された番組がサイマル放送であるか否かを判別するサイマル放送判別ステップと、
前記選択された番組に対応する前記デジタル放送用電子番組表情報から得られる放送開始時刻及び放送終了時刻のそれぞれが、前記選択された番組の前記予約設定情報に含まれる予約開始時刻及び予約終了時刻のそれぞれと差異があるか否かを判別する時刻差異判別ステップと、
前記予約設定情報を変更する予約設定情報変更ステップと、
を備え、
前記予約設定ステップにおいて前記予約設定情報に設定された前記選択された番組が前記サイマル放送判別ステップにおいてサイマル放送であると判別された場合に、前記時刻差異判別ステップにおいて差異があるか否かを判別し、差異があると判別された場合に、前記予約設定情報変更ステップにおいて前記デジタル放送用電子番組表情報に基づいて前記予約設定情報を変更し、変更された前記予約設定情報に基づいて前記アナログ放送受信ステップにおいて受信することを特徴とする番組予約プログラム。
【請求項１４】
選択された番組がサイマル放送であるか否かを判別するサイマル放送判別ステップと、
前記選択された番組に対応するデジタル放送用電子番組表情報から得られる放送開始時刻及び放送終了時刻のそれぞれが、前記選択された番組の予約設定情報に含まれる予約開始時刻及び予約終了時刻のそれぞれと差異があるか否かを判別する時刻差異判別ステップと、
前記予約設定情報を変更する予約設定情報変更ステップと、
を備え、
前記選択された番組が前記サイマル放送判別ステップにおいてサイマル放送であると判別された場合に、前記時刻差異判別ステップにおいて差異があるか否かを判別し、差異があると判別された場合に、前記予約設定情報変更ステップにおいて前記デジタル放送用電子番組表情報に基づいて前記予約設定情報を変更することを特徴とする番組予約設定情報変更プログラム。
【請求項１５】
複数のアナログチャンネルのアナログ放送信号を受信するアナログ放送受信ステップと、
前記アナログ放送信号から、アナログ映像音声情報を取得するアナログ映像音声情報取得ステップと、
所定の時刻に、前記複数のアナログチャンネルのうち、アナログ放送用電子番組表情報を前記アナログ放送信号に含めて送信している所定のアナログチャンネルを選択し、前記アナログ放送受信ステップにおいて受信される前記アナログ放送信号から前記アナログ放送用電子番組表情報を取得するアナログ放送情報取得ステップと、
前記アナログ放送用電子番組表情報の中から予約のために選択された番組の、アナログチャンネル、予約開始時刻、及び、予約終了時刻からなる予約設定情報を設定する予約設定ステップと、
複数のデジタルチャンネルのデジタル放送信号を受信するデジタル放送受信ステップと、
前記複数のデジタルチャンネルのそれぞれの前記デジタル放送信号から、前記アナログ放送情報取得ステップにおいて前記アナログ放送用電子番組表情報を取得するよりも高い頻度で、デジタル放送用電子番組表情報を取得するデジタル放送情報取得ステップと、
前記選択された番組がサイマル放送であるか否かを判別するサイマル放送判別ステップと、
前記選択された番組に対応する前記デジタル放送用電子番組表情報から得られる放送開始時刻及び放送終了時刻のそれぞれが、前記選択された番組の前記予約設定情報に含まれる予約開始時刻及び予約終了時刻のそれぞれと差異があるか否かを判別する時刻差異判別ステップと、
前記予約設定情報を変更する予約設定情報変更ステップと、
を備え、
前記予約設定ステップにおいて前記予約設定情報に設定された前記選択された番組が前記サイマル放送判別ステップにおいてサイマル放送であると判別された場合に、前記時刻差異判別ステップにおいて差異があるか否かを判別し、差異があると判別された場合に、前記予約設定情報変更ステップにおいて前記デジタル放送用電子番組表情報に基づいて前記予約設定情報を変更し、変更された前記予約設定情報に基づいて前記アナログ放送受信ステップにおいて受信することを特徴とする番組予約方法。
【請求項１６】
選択された番組がサイマル放送であるか否かを判別するサイマル放送判別ステップと、
前記選択された番組に対応するデジタル放送用電子番組表情報から得られる放送開始時刻及び放送終了時刻のそれぞれが、前記選択された番組の予約設定情報に含まれる予約開始時刻及び予約終了時刻のそれぞれと差異があるか否かを判別する時刻差異判別ステップと、
前記予約設定情報を変更する予約設定情報変更ステップと、
を備え、
前記選択された番組が前記サイマル放送判別ステップにおいてサイマル放送であると判別された場合に、前記時刻差異判別ステップにおいて差異があるか否かを判別し、差異があると判別された場合に、前記予約設定情報変更ステップにおいて前記デジタル放送用電子番組表情報に基づいて前記予約設定情報を変更することを特徴とする番組予約設定情報変更方法。
【発明の詳細な説明】
【技術分野】
【０００１】
この発明は、デジタル放送とアナログ放送の両方の電子番組表情報を受信することが可能であり、これらの電子番組表情報を利用してサイマル放送の放送映像データの一部あるいは全部を録画し損なったり視聴し損なったりすることを防止可能な番組予約装置とこれに用いるプログラム、そして、この番組予約装置を用いた映像表示装置及び映像記録装置に関するものである。
【背景技術】
【０００２】
従来は、アナログ放送される番組をテレビで予約設定する場合は、ユーザーが時刻設定ボタン等を操作して予約開始時刻と予約終了時刻を指定していたが、近年になり、放送映像信号とともに送信されてくる電子番組表情報を利用することで、このアナログ放送の電子番組表情報に基づいてモニター画面等に表示される番組表の中からユーザーが番組を選択する等により、非常に簡単に予約設定を行うことが可能となっている。
【０００３】
ところで、電子番組表情報は、放送時間の変更等があると、最新の情報に更新され、送信されてくる。そこで、従来のアナログ放送の番組予約装置は、更新されたアナログ放送の電子番組表情報に基づいて、予約中の番組が放送延長されている場合は、予約終了時刻を放送延長に対応して変更し、番組の記録や視聴を続行するようにしている（例えば、特許文献１参照）。
【０００４】
【特許文献１】特開２００１−１５５３９３号公報（第１１頁−１２頁、第８図）
【発明の開示】
【発明が解決しようとする課題】
【０００５】
しかしながら、デジタル放送の電子番組表情報は略リアルタイムに更新されるのに対して、アナログ放送の電子番組表情報は一日に数回しか更新されないため、従来のアナログ放送の番組予約装置では、予約を行ったアナログ放送の番組放送時間が変更された場合でも、放送時間の変更が決まった時点から既に設定された予約開始時刻までの間に電子番組表情報の更新が行われなければ、番組の一部あるいは全部を録画し損なったり視聴し損なったりしてしまうという問題があった。
【０００６】
この発明は、上記のような課題を解決するために為されたもので、予約設定したアナログ放送の番組において放送時間変更があっても、その番組と同じ内容の番組がデジタル放送においても同じ時間に放送される、いわゆるサイマル放送である場合は、この予約した番組の一部あるいは全部を録画し損なったり視聴し損なったりすることを防止可能な番組予約装置を提供することを目的とする。
【課題を解決するための手段】
【０００７】
この発明に係る番組予約装置は、複数のアナログチャンネルのアナログ放送信号を受信するアナログ放送受信手段と、所定の時刻に、前記複数のアナログチャンネルのうち、アナログ放送用電子番組表情報を前記アナログ放送信号に含めて送信している所定のアナログチャンネルを選択し、前記アナログ放送受信手段によって受信される前記アナログ放送信号から前記アナログ放送用電子番組表情報を取得するアナログ放送情報取得手段と、前記アナログ放送用電子番組表情報の中から予約のために選択された番組の、アナログチャンネル、予約開始時刻、及び、予約終了時刻からなる予約設定情報を設定する予約設定手段と、複数のデジタルチャンネルのデジタル放送信号を受信するデジタル放送受信手段と、前記複数のデジタルチャンネルのそれぞれの前記デジタル放送信号から、前記アナログ放送情報取得手段が前記アナログ放送用電子番組表情報を取得するよりも高い頻度で、デジタル放送用電子番組表情報を取得するデジタル放送情報取得手段と、前記選択された番組がサイマル放送であるか否かを判別するサイマル放送判別手段と、前記選択された番組に対応する前記デジタル放送用電子番組表情報から得られる放送開始時刻及び放送終了時刻のそれぞれが、前記選択された番組の前記予約設定情報に含まれる予約開始時刻及び予約終了時刻のそれぞれと差異があるか否かを判別する時刻差異判別手段と、前記サイマル放送判別手段の出力と前記時刻差異判別手段の出力とに基づいて、前記予約設定情報を変更する予約設定情報変更手段と、前記複数のアナログチャンネルのうち、前記予約設定情報に基づいて対応するアナログチャンネルを選択し、前記アナログ放送受信手段によって受信される前記アナログ放送信号からアナログ映像音声情報を取得するアナログ映像音声情報取得手段とを備えることを特徴とする。
【発明の効果】
【０００８】
この発明に係る番組予約装置によれば、デジタル放送情報取得手段は、アナログ放送情報取得手段がアナログ放送用電子番組表情報を取得するよりも高い頻度で、デジタル放送用電子番組表情報を取得するとともに、アナログ放送用電子番組表情報の中から予約のために選択された番組がサイマル放送である場合に、選択された番組のデジタル放送用電子番組表情報から得られる放送開始時刻及び放送終了時刻のそれぞれが、選択された番組の予約設定情報に含まれる予約開始時刻及び予約終了時刻のそれぞれと差異があるか否かを判別し、差異があると判別した場合にデジタル放送用電子番組表情報に基づいて予約設定情報を変更するようにしたので、選択された番組の放送時間の変更があっても予約した番組の一部あるいは全部を録画し損なったり視聴し損なったりすることを抑制できるという効果を得ることができる。
【発明を実施するための最良の形態】
【０００９】
以下、この発明の実施の形態による番組予約装置を、アナログ放送される番組の少なくとも一部に、デジタル放送でも同一の番組が同じ時間に放送される、いわゆるサイマル放送が行われている場合について、説明する。
【００１０】
なお、アナログ放送の通常ＥＰＧ（Ｅｌｅｃｔｒｏｎｉｃ  Ｐｒｏｇｒａｍ  Ｇｕｉｄｅ）と呼ばれるアナログ放送用電子番組表情報を送信するテレビ放送局は、国内の各地域毎に、特定の局に決められており、一日に数回程度、所定の時刻に、その地域で視聴可能な全てのアナログチャンネルの電子番組表情報が送信されるので、この実施の形態においても、一日に数回程度、特定のアナログ放送のテレビ放送局から、所定の時刻に送信されるものとする。
【００１１】
また、デジタル放送の場合は、各テレビ放送局毎に自局の番組のみに関するデジタル放送用電子番組表情報を１〜６０秒に一回程度の割合で所定のタイミングで略リアルタイムに送信しているので、この実施の形態においても、デジタル放送用電子番組表情報が略リアルタイムに送信されていることを前提として、以下に、この発明の実施の形態による番組予約装置を説明する。
【００１２】
実施の形態１．
図１は、この発明に係る番組予約装置の実施の形態１の構成を示す構成図である。
【００１３】
図１に示すように、アンテナ１で受信した電波信号には、複数のアナログチャンネルのアナログ放送信号と複数のデジタルチャンネルのデジタル放送信号が含まれており、この電波信号の中から、アナログ放送受信部２は、複数のアナログチャンネルのうちで必要とするアナログチャンネルを選択して受信し、アナログ放送信号を出力する。アナログ映像音声情報取得手段であるアナログ放送用映像音声符号化部３では、出力されたアナログ放
送信号から、アナログ映像音声情報を取得し、記録やディスプレイで視聴するための方式に符号化して、アナログ放送予約番組出力部４へ出力する。
【００１４】
また、アナログ放送受信部２は、特定の局から所定の時刻に一日に数回の頻度で送信されるアナログ放送用電子番組表情報を含むアナログ放送信号を受信し、アナログ放送情報取得手段であるアナログ放送用ＥＰＧ取得部５ａは、アナログ放送信号から、アナログ放送のＥＰＧ情報であるアナログ放送用電子番組表情報を取得して、予約設定部６に出力する。
【００１５】
予約設定部６では、アナログ放送用電子番組表情報の中から予約する番組を選択する。具体的には、ユーザーインターフェース（図示ぜず）からの操作により、アナログ放送用電子番組表情報の内容が番組予約装置に接続されたモニター（図示せず）等に表示され、その画面上でユーザーが予約したい番組を選択すると、予約設定部６は、予約のために選択された番組の、アナログチャンネル、記録開始時刻、及び、記録終了時刻からなる予約設定情報を設定し、この予約設定情報を予約調整部７ａに出力する。
【００１６】
一方、アンテナ１で受信した電波信号には、複数のデジタルチャンネルのデジタル放送信号も含まれているが、デジタル放送受信部８ａは、この電波信号の中から、複数のデジタルチャンネルのうちで必要とするデジタルチャンネルを選択して受信し、デジタル放送信号を出力する。
【００１７】
ところで、デジタル放送の場合は、各テレビ放送局毎に自局の番組のみに関するデジタル放送用電子番組表情報をそれぞれのテレビ放送局毎に定められたチャンネルで略リアルタイムに送信しているので、定期的に、それぞれのテレビ放送局のデジタルチャンネルをデジタル放送受信部８ａで選択して受信し、デジタル放送用ＥＰＧ取得部９ａが、受信したデジタル放送信号のそれぞれから、デジタル放送のＥＰＧ情報であるデジタル放送用電子番組表情報を取得し、このデジタル放送用電子番組表情報を予約調整部７ａに出力する。
【００１８】
なお、各テレビ放送局のデジタル放送用電子番組表情報は、それぞれのデジタルチャンネルと番組の放送開始時刻とその番組の放送時間長さの情報が含まれており、これらの情報に基づいて、各番組のデジタルチャンネルと、放送開始時刻と、放送開始時刻に放送時間長さを加えて得られる放送終了時刻とを、得ることができる。
【００１９】
デジタル放送情報取得手段であるデジタル放送用ＥＰＧ取得部９ａがデジタル放送用電子番組表情報を定期的に取得する頻度は、少なくとも、アナログ放送情報取得手段であるアナログ放送用ＥＰＧ取得部５ａがアナログ放送用電子番組表情報を所定の時刻に取得する頻度よりも高くなるように設定する。
【００２０】
そして、予約調整部７ａでは、予約設定部６から出力された予約設定情報に含まれている各々の予約番組に対して、デジタル放送用ＥＰＧ取得部９ａで取得されたデジタル放送用電子番組表情報に基づいて、この予約番組と同じ番組が同じ放送開始時刻と同じ放送終了時刻でアナログ放送においても放送される、いわゆるサイマル放送であるか否かを判別する。
【００２１】
既に述べたように、デジタル放送用ＥＰＧ取得部９ａがデジタル放送用電子番組表情報を取得する頻度は、アナログ放送用ＥＰＧ取得部５ａがアナログ放送用電子番組表情報を取得する頻度よりも高く設定されている。従って、予約設定部６でユーザが番組を予約した後に、その番組の放送時間が変更となった場合、その番組がサイマル放送であれば、放送時間の変更により更新されたデジタル放送用電子番組表情報に基づいて、その番組の放送時間の変更を知得することができるので、一日に数回しか更新されないアナログ放送用電子番組表情報のみからの場合に比べて、変更があったことをより確実に知得することができる。
【００２２】
予約調整部７ａにおいてサイマル放送における放送時間の変更に伴って更新された予約設定情報に基づいて、予約調整部７ａは、予約された番組の予約開始時刻になると、その番組の放送されるアナログチャンネルを選択して受信するようにアナログ放送受信部２に指示を行い、アナログ放送受信部２は、アンテナ１で受信した電波信号に含まれる複数のアナログチャンネルのアナログ放送信号の中から、予約されたその番組のアナログチャンネルのアナログ放送信号を選択して出力する。
【００２３】
アナログ放送受信部２から出力された予約番組のアナログ放送信号は、アナログ放送用映像音声符号化部３において、アナログ映像音声情報として取り出された上で記録やディスプレイで視聴するための方式に符号化されて、アナログ放送予約番組出力部４へ出力される。
【００２４】
一方、予約調整部７ａは、アナログ放送用映像音声符号化部３から符号化されて出力されてきたアナログ映像音声情報を入力として、予約開始時刻から、アナログ放送映像音声出力信号を出力するように、アナログ放送予約番組出力部４に指示をする。
【００２５】
次に、予約終了時刻になると、予約調整部７ａは、アナログ放送受信部２への選択受信の指示を終了するとともに、アナログ放送予約番組出力部４へのアナログ放送映像音声出力信号を出力する指示を終了する。
【００２６】
図２は、予約設定部７ａの動作をより詳細に説明するためのフローチャートである。以下では、図２を用いて、予約設定部６で設定された予約設定情報に対して、予約した後に、予約した番組の放送時間が変更となった場合に、予約調整部７ａがどのように動作するのかをより詳細に説明する。
【００２７】
図２において、図１に示された予約調整部７ａが予約調整開始Ｓ１１で予約調整をスタートすると、まず、予約設定部６から送られてきた予約設定情報に含まれる各々の予約番組に対して、デジタル放送用ＥＰＧ取得部９ａで取得されたデジタル放送用電子番組表情報に基づいて、各々の予約番組がサイマル放送であるか否かがＳ１２で判別される。サイマル放送である予約番組については、予約設定情報から得られたその予約番組の予約開始時刻及び予約終了時刻を、デジタル放送用ＥＰＧであるデジタル放送用電子番組表情報から得られたその予約番組の放送開始時刻及び放送終了時刻と比較し、それぞれに差異があるか否かをＳ１３で判別する。差異があれば、その予約番組の放送時間が変更されたとして、Ｓ１４において、予約設定情報に含まれる予約開始時刻及び予約終了時刻の情報をデジタル放送用電子番組表情報から得られた放送開始時刻及び放送終了時刻に変更して、予約調整終了Ｓ１５で予約調整部７ａでの処理が終了する。
【００２８】
なお、Ｓ１２において、予約番組がサイマル放送でないと判別された場合は、直ちに、予約調整終了Ｓ１５にて予約調整部７ａでの処理が終了する。また、Ｓ１３において、サイマル放送である予約番組の予約開始時刻及び予約終了時刻を、デジタル放送用電子番組表情報から得られたその予約番組の放送開始時刻及び放送終了時刻と比較し、それぞれに差異がないと判別された場合は、その予約番組の放送時間に変更が無かったとして、直ちに、予約調整終了Ｓ１５にて予約調整部７ａでの処理が終了する。
【００２９】
図３は、この発明に係る実施の形態１の番組予約装置の予約設定情報の予約調整の一例を示す予約表である。
【００３０】
図１に示す予約設定部６では、ユーザによって９：００〜１１：００のサイマル放送の番組が予約されていて、その結果、図３の左側に示す内容の予約設定情報が予約設定部６から予約調整部７ａに出力されているものとする。その後に、予約された番組の放送時間の変更があり、デジタル放送用ＥＰＧ情報、すなわち、デジタル放送用電子番組表情報から、図３の中央に示すように予約された番組の放送開始時刻が１０：００、放送終了時刻が１２：００であるとの情報が知得されると、予約調整部７ａでは、この予約されている番組がサイマル放送であると判別され、さらに、デジタル放送用電子番組表情報から得られる放送開始時刻及び放送終了時刻のそれぞれが、予約設定情報に含まれているこの予約されている番組の予約開始時刻及び予約終了時刻のそれぞれと差異があると判別されて、図３の右側に示すように、予約設定情報のこの予約されている番組の予約開始時刻が１０：００、予約終了時刻が１２：００に変更される。従って、図１に示す番組予約装置のアナログ放送予約番組出力部４からは、予約された番組のアナログチャンネルに対応したアナログ放送映像出力信号が出力されることとなる。
【００３１】
この発明に係る実施の形態１の番組予約装置は、以上のように構成されているので、選択された番組の放送時間の変更があっても予約した番組の一部あるいは全部を録画し損なったり視聴し損なったりすることが無いという効果を得ることができる。
【００３２】
なお、以上では、予約調整部７ａは、予約設定情報において、サイマル放送の番組の放送時間の変更があると、予約設定情報に設定されたこの番組の予約開始時刻及び予約終了時刻を、デジタル放送用電子番組表情報から得られた放送開始時刻及び放送終了時刻に、それぞれ変更するようにしていたが、予約設定情報に設定された予約開始時刻よりもデジタル放送用電子番組表情報から得られた変更後の放送開始時刻の方が早い場合は、予約設定情報に設定されたこの番組の予約開始時刻のみをデジタル放送用電子番組表情報から得られた変更後の放送開始時刻に変更するようにすれば、次のような効果がある。
【００３３】
すなわち、予約されたサイマル放送の番組の放送開始時刻及び放送終了時刻が一旦早まるように変更されて、予約設定情報に設定されたこの番組の予約開始時刻のみがデジタル放送用電子番組表情報から得られた変更後の放送開始時刻に変更され、その後、放送開始時刻を経過してから、この番組の放送開始時刻及び放送終了時刻が元に戻されてしまった場合であっても、予約終了時刻については元のままで変更をしていないので、この番組の後半部分を録画し損なったり、視聴し損なったりすることが抑制されるという効果がある。
【００３４】
図４は、上記の場合の予約調整部７ａの動作をより詳細に説明するためのフローチャートである。
【００３５】
図４において、予約調整部７ａが予約調整開始Ｓ２１で予約調整をスタートすると、まず、予約設定部６から送られてきた予約設定情報に含まれる各々の予約番組に対して、デジタル放送用ＥＰＧ取得部９ａで取得されたデジタル放送用電子番組表情報に基づいて、各々の予約番組がサイマル放送であるか否かがＳ２２で判別される。サイマル放送である予約番組については、予約設定情報から得られたその予約番組の予約開始時刻を、デジタル放送用電子番組表情報から得られたその予約番組の放送開始時刻と比較し、現在の予約開始時刻よりもデジタル放送用ＥＰＧであるデジタル放送用電子番組表情報から得られるその放送開始時刻の方が早いか否かをＳ２３で判別する。デジタル放送用電子番組表情報から得られたその放送開始時刻の方が早いと判別された場合は、Ｓ２４において、予約設定情報に含まれる予約開始時刻の情報のみをデジタル放送用電子番組表情報から得られたその予約番組の放送開始時刻に変更して、予約調整終了Ｓ２５で予約調整部７ａの処理が終了する。
【００３６】
なお、Ｓ２２において、予約番組がサイマル放送でないと判別された場合は、直ちに、予約調整終了Ｓ２５にて予約調整部７ａでの処理が終了する。また、Ｓ２３において、サイマル放送である予約番組の予約開始時刻よりもデジタル放送用電子番組表情報から得られたその予約番組の放送開始時刻の方が早いと判別されなかった場合は、その予約番組の放送時間に変更が無かったとして、直ちに、予約調整終了Ｓ２５にて予約調整部７ａでの処理が終了する。
【００３７】
図５は、この発明に係る実施の形態１の別の番組予約装置の予約設定情報の予約調整の一例を示す予約表である。
【００３８】
図１に示す予約設定部６では、ユーザによって１０：００〜１２：００のサイマル放送の番組が予約されていて、その結果、図５の左側に示す内容の予約設定情報が予約設定部６から予約調整部７ａに出力されているものとする。その後に、予約された番組の放送時間の変更があり、デジタル放送用ＥＰＧ情報、すなわち、デジタル放送用電子番組表情報からは、図５の中央に示すように予約された番組の放送開始時刻が９：００、放送終了時刻が１１：００であるとの情報が知得されると、予約調整部７ａでは、この予約されている番組がサイマル放送であると判別され、さらに、デジタル放送用電子番組表情報から得られる放送開始時刻が、予約設定情報に含まれているこの予約されている番組の予約開始時刻よりも早いと判別されて、図５の右側に示すように、予約設定情報のこの予約されている番組の予約開始時刻のみが９：００に変更される。一方、予約終了時刻は１２：００のままである。従って、図１に示す番組予約装置のアナログ放送予約番組出力部４からは、予約された番組のアナログ放送チャンネルに対応したアナログ放送映像出力信号が９：：００から１２：００まで出力されることとなる。
【００３９】
この発明に係る実施の形態１の別の番組予約装置は、以上のように構成されているので、予約されたサイマル放送の番組の放送開始時刻及び放送終了時刻が一旦早まるように変更されて、予約設定情報に設定されたこの番組の予約開始時刻のみがデジタル放送用電子番組表情報から得られた変更後の放送開始時刻に変更され、その後、放送開始時刻を経過してから、この番組の放送開始時刻及び放送終了時刻が元に戻されてしまった場合であっても、予約終了時刻については元のままで変更をしていないので、この番組の後半部分を録画し損なったり、視聴し損なったりすることが無いという効果がある。
【００４０】
なお、以上とは異なって、予約設定情報に設定された予約開始時刻よりもデジタル放送用電子番組表情報から得られた変更後の放送開始時刻の方が遅い場合は、予約設定情報に設定されたこの番組の予約終了時刻のみをデジタル放送用電子番組表情報から得られた変更後の放送終了時刻に変更するようにすれば、次のような効果がある。
【００４１】
すなわち、予約されたサイマル放送の番組の放送開始時刻及び放送終了時刻が一旦遅くなるように変更されて、予約設定情報に設定されたこの番組の予約終了時刻のみがデジタル放送用電子番組表情報から得られた変更後の放送終了時刻に変更され、その後、この番組の放送開始時刻及び放送終了時刻が元に戻され、放送開始時刻までにデジタル放送用ＥＰＧ取得部９ａによるデジタル放送用電子番組表情報の取得が行われなかった場合であっても、予約開始時刻については元のままで変更をしていないので、この番組の前半部分を録画し損なったり、視聴し損なったりすることが無いという効果がある。
【００４２】
図６は、上記の場合の予約調整部７ａの動作をより詳細に説明するためのフローチャートである。
【００４３】
図６において、予約調整部７ａが予約調整開始Ｓ３１で予約調整をスタートすると、まず、予約設定部６から送られてきた予約設定情報に含まれる各々の予約番組に対して、デジタル放送用ＥＰＧ取得部９ａで取得されたデジタル放送用電子番組表情報に基づいて、各々の予約番組がサイマル放送であるか否かがＳ３２で判別される。サイマル放送である予約番組については、予約設定情報から得られたその予約番組の予約終了時刻を、デジタル放送用電子番組表情報から得られたその予約番組の放送終了時刻と比較し、現在の予約終了時刻よりもデジタル放送用ＥＰＧであるデジタル放送用電子番組表情報から得られるその放送終了時刻の方が遅いか否かをＳ３３で判別する。デジタル放送用電子番組表情報から得られたその放送終了時刻の方が遅いと判別された場合は、Ｓ３４において、予約設定情報に含まれる予約終了時刻の情報のみをデジタル放送用電子番組表情報から得られたその予約番組の放送終了時刻に変更して、予約調整終了Ｓ３５で予約調整部７ａの処理が終了する。
【００４４】
なお、Ｓ３２において、予約番組がサイマル放送でないと判別された場合は、直ちに、予約調整終了Ｓ３５にて予約調整部７ａでの処理が終了する。また、Ｓ３３において、サイマル放送である予約番組の予約終了時刻よりもデジタル放送用電子番組表情報から得られたその予約番組の放送終了時刻の方が遅いと判別されなかった場合は、その予約番組の放送時間に変更が無かったとして、直ちに、予約調整終了Ｓ３５にて予約調整部７ａでの処理が終了する。
【００４５】
図７は、この発明に係る実施の形態１のさらに別の番組予約装置の予約設定情報の予約調整の一例を示す予約表である。
【００４６】
図１に示す予約設定部６では、ユーザによって９：００〜１１：００のサイマル放送の番組が予約されていて、その結果、図７の左側に示す内容の予約設定情報が予約設定部６から予約調整部７ａに出力されているものとする。その後に、予約された番組の放送時間の変更があり、デジタル放送用ＥＰＧ情報、すなわち、デジタル放送用電子番組表情報からは、予約された番組の放送開始時刻が１０：００、放送終了時刻が１２：００であるとの情報が知得されると、予約調整部７ａでは、この予約されている番組がサイマル放送であると判別され、さらに、デジタル放送用電子番組表情報から得られる放送終了時刻が、予約設定情報に含まれているこの予約されている番組の予約終了時刻よりも遅いと判別されて、図７に示すように、予約設定情報のこの予約されている番組の予約終了時刻のみが１２：００に変更される。一方、予約開始時刻は９：００のままである。従って、図１に示す番組予約装置のアナログ放送予約番組出力部４からは、予約された番組のアナログ放送チャンネルに対応したアナログ放送映像出力信号が９：：００から１２：００まで出力されることとなる。
【００４７】
この発明に係る実施の形態１のさらに別の番組予約装置は、以上のように構成されているので、予約されたサイマル放送の番組の放送開始時刻及び放送終了時刻が一旦遅くなるように変更されて、予約設定情報に設定されたこの番組の予約終了時刻のみがデジタル放送用電子番組表情報から得られた変更後の放送終了時刻に変更され、その後、この番組の放送開始時刻及び放送終了時刻が元に戻され、放送開始時刻までにデジタル放送用ＥＰＧ取得部９ａによるデジタル放送用電子番組表情報の取得が行われなかった場合であっても、予約開始時刻については元のままで変更をしていないので、この番組の前半部分を録画し損なったり、視聴し損なったりすることが無いという効果がある。
【００４８】
実施の形態２．
デジタル放送を送信しているテレビ放送局の中には、アナログ放送を送信している特定のテレビ放送局のアナログチャネルの番組と全く同じ番組のみを同じ時間に常時デジタル放送として送信するテレビ放送局が存在し、このようなデジタル放送のテレビ放送局のデジタルチャンネル及び対応するアナログチャンネルは、サイマルチャンネルと呼ばれている。つまり、サイマルチャンネルであるアナログチャンネルで放送される全ての番組は、対応するサイマルチャンネルであるデジタルチャンネルで常時同じ時間に放送される。
【００４９】
実施の形態１の番組予約装置では、予約された番組がサイマル放送であるか否かを判別し、その番組がサイマル放送である場合に、デジタル放送用電子番組表情報に基づいて、予約設定情報を変更するようにしているが、予約された番組の放送されるアナログチャンネルがサイマルチャンネルである場合、その番組がサイマル放送であるか否かを判別しなくても、視聴可能なアナログチャネルの中にサイマルチャンネルが有るか無いかを判別し、サイマルチャンネルが有れば、このサイマルチャンネルであるアナログチャンネルで放送される全ての番組の予約設定情報を、デジタル放送用電子番組表情報に基づいて変更するようにすれば、少なくとも、そのサイマルチャンネルの予約された番組については、各番組についてサイマル放送であるか否かを判別する処理を行う必要が無くなり、処理負荷を低減することが可能である。
【００５０】
図８は、この発明に係る番組予約装置の実施の形態２の一例の構成を示す構成図で、実施の形態１の構成に加えて、この番組予約装置が置かれている地域で視聴可能なアナログチャンネルの中に、常時サイマル放送を送信するサイマルチャンネルが有るか無いかを判別するサイマルチャンネル判別手段を構成するチャンネルマップ情報作成部１０をさらに備えている。また、図１と同一符号は同一又は相当部分を示すので説明を省略する。
【００５１】
図８において、アナログ放送用ＥＰＧ取得部５ｂで取得されたアナログ放送用電子番組表情報と、デジタル放送用ＥＰＧ取得部９ｂで取得されたデジタル放送用電子番組表情報とが、チャンネルマップ情報作成部１０に入力される。
【００５２】
チャンネルマップ情報作成部１０では、アナログ放送用電子番組表情報とデジタル放送用電子番組表情報とを付き合わせ、アナログチャンネルとデジタルチャンネルとの対応関係である、いわゆるチャンネルマップ情報が作成される。このチャンネルマップ情報に基づいて、アナログチャネルの番組と内容も放送時間も全く同じ番組を常時放送するデジタルチャンネルが有るか無いかを判別し、そのようなアナログチャンネルが有れば、そのアナログチャンネルがサイマルチャンネルであることを示すサイマルチャンネル情報がチャンネルマップ情報作成部１０から予約調整部７ｂに送られる。
【００５３】
予約調整部７ｂでは、予約設定部６より送られてきた予約設定情報に対して、チャンネルマップ情報作成部１０から送られてきたサイマルチャンネル情報に基づいて判断して、予約された番組のアナログチャンネルのうちでサイマルチャンネルが有れば、そのアナログチャンネルの番組は全て、デジタル放送用電子番組表情報に基づいて変更を加える。
【００５４】
この発明に係る番組予約装置の実施の形態２の一例は、以上のように構成されているので、少なくとも、そのサイマルチャンネルの予約された番組については、各番組についてサイマル放送であるか否かを判別する処理を行う必要が無くなり、処理負荷を低減することができるという効果がある。
【００５５】
なお、上記のチャンネルマップ情報作成部１０を備えるサイマルチャンネル判別手段とは別に、アナログ放送受信部２で選択されて受信され、符号化されたアナログ映像音声情報の信号波形と、デジタル放送受信部８ａで選択されて受信され、アナログ映像音声情報と同じ解像度を有するように解像度を変更されたデジタル映像音声情報の信号波形とを、比較することで、視聴可能なアナログチャンネルの中にサイマルチャンネルが有るか無いかを判別するようにしても良い。
【００５６】
図９は、この発明に係る番組予約装置の実施の形態２の別の一例の構成を示す構成図で、実施の形態１の構成に加えて、この番組予約装置が置かれている地域で視聴可能なアナログチャンネルの中に、常時サイマル放送を送信するサイマルチャンネルが有るか無いかを判別するサイマルチャンネル判別手段を構成するデジタル放送用解像度変更部１１と波形比較部１２をさらに備えている。また、図１及び図８と同一符号は同一又は相当部分を示すので説明を省略する。
【００５７】
図９において、デジタル放送受信部８ａで選択して受信され、デジタル放送受信部８ａから出力されたデジタル放送信号は、デジタル放送用解像度変更部１１でアナログ放送用映像音声符号化部３より出力されるアナログ映像音声情報と同じ解像度を有するように解像度が変更され、デジタル放送用解像度変更部１１からデジタル映像音声情報として出力される。
【００５８】
アナログ放送用映像音声符号化部３から出力されたアナログ映像音声情報とデジタル放送用解像度変更部１１から出力されたデジタル映像音声情報とが波形比較部１２に入力される。波形比較部１２では、アナログチャンネルとデジタルチャンネルを対比させて、アナログ映像音声情報の信号波形とデジタル音声情報の信号波形の比較が行われ、相関度が高ければ、サイマルチャンネルであると判断される。以上のようにして、視聴可能なアナログチャンネルの中にサイマルチャンネルが有るか無いかを判別することができる。
【００５９】
従って、波形比較部１２は、アナログチャネルの番組と内容も放送時間も全く同じ番組を常時放送するデジタルチャンネルが有るか無いかを判別し、そのようなアナログチャンネルが有れば、そのアナログチャンネルがサイマルチャンネルであることを示すサイマルチャンネル情報を予約調整部７ｂに送る。
【００６０】
この発明に係る番組予約装置の実施の形態２の別の一例は、以上のように構成されているので、少なくとも、そのサイマルチャンネルの予約された番組については、各番組についてサイマル放送であるか否かを判別する処理を行う必要が無くなり、処理負荷を低減することができるという効果がある。
【００６１】
実施の形態３．
以上では、アナログ放送用電子番組表情報を取得するよりも高い頻度でデジタル放送用電子番組表情報を取得して、サイマル放送の番組において放送時間の変更があった場合に、デジタル放送用電子番組表情報に基づいて予約設定情報を変更する番組予約装置について説明したが、この実施の形態１ないしは実施の形態２に示した番組予約装置を用いて、予約された番組のアナログ映像音声情報を記録媒体に記録する映像記録装置を構成すると、予約した番組の一部あるいは全部を録画し損なうことを抑制できる映像記録装置を得ることができる。
【００６２】
図１０は、この発明に係る実施の形態３の映像記録装置の構成を示す構成図である。図１、図８、及び、図９と同一符号は同一又は相当部分を示すので説明を省略する。
【００６３】
図１０において、番組予約装置１３から出力されるアナログ放送映像音声出力信号は、アナログ放送記録部１４に入力される。アナログ放送記録部１４は、このアナログ放送映像音声出力信号を記録媒体１５ａに記録する。
【００６４】
この発明に係る実施の形態３の映像記録装置は、以上のように構成されているので、予約した番組の放送時間の変更があった場合でも、その予約した番組の一部あるいは全部を録画し損なうことを抑制することができる。
【００６５】
実施の形態４．
実施の形態３では、実施の形態１ないしは実施の形態２の番組予約装置を映像記録装置に適用した場合を示したが、この番組予約装置を映像表示装置に適用すると、予約した番組の一部あるいは全部を視聴し損なうことを抑制できる映像表示装置を得ることができる。
【００６６】
図１１は、この発明に係る実施の形態４の映像表示装置の構成を示す構成図である。図１、図８、図９、及び、図１０と同一符号は同一又は相当部分を示すので説明を省略する。
【００６７】
図１１において、番組予約装置１３から出力されるアナログ放送映像音声出力信号は、アナログ放送モニタ出力部１６に入力される。アナログ放送モニタ出力部１６は、このアナログ放送映像音声出力信号をディスプレイ１７に出力して、ディスプレイ１７からは予約された番組の映像と音声が出力される。
【００６８】
この発明に係る実施の形態４の映像表示装置は、以上のように構成されているので、予約した番組の放送時間の変更があった場合でも、その予約した番組の一部あるいは全部を視聴し損なうことを抑制することができる。
【００６９】
実施の形態５．
以上では、予約された番組のアナログ放送映像音声出力信号のみを出力する番組予約装置、及び、この番組予約装置を適用した映像記録装置及び映像表示装置を説明したが、番組予約装置がアナログ放送映像音声出力信号だけでなくデジタル放送映像音声出力信号も出力するようにすれば、予約した番組の一部あるいは全部を録画ないしは視聴し損なうことを抑制できるだけでなく、それに加えて、この番組予約装置を映像記録装置に適用すると、アナログ放送映像音声出力信号の録画データかデジタル放送映像音声出力信号の録画データのいずれか一方は、予約した番組以外の余計な部分を含まないこととなるので、記録媒体に録画された番組をわざわざ編集しなくても、一方を選ぶだけで、番組以外の余計な部分を含まない録画データを得ることができるという効果がある。
【００７０】
図１２は、この発明に係る実施の形態５の番組予約装置の構成を示す構成図である。図１、図８、及び、図９と同一符号は同一又は相当部分を示すので説明を省略する。
【００７１】
図１２において、デジタル放送受信部８ｂで選択して受信されたデジタル放送信号は既に符号化されているので、そのままデジタル映像音声情報として、デジタル放送予約番組出力部１８に入力される。さらに、このデジタル放送予約番組出力部１８は、予約調整部７ｃからの指示を受けてデジタル放送映像音声出力信号を出力する。また、予約調整部７ｃは、予約設定部６より送られてきたアナログ放送の予約設定情報であるアナログ予約設定情報に基づいて予約された番組のアナログチャンネルを選択して受信するように、アナログ放送受信部２に指示を出力する。さらに、予約調整部７ｃは、予約された番組の中でサイマル放送であり、かつ、放送時間が変更となった番組のみをデジタル予約設定情報として設定するデジタル予約設定手段を有しており、このデジタル予約設定情報に基づいてサイマル放送である番組のデジタルチャンネルを選択して受信するように、デジタル放送受信部８ｂに指示を出力する。以上の動作と、予約調整部７ｃでの予約調整に関する動作を除けば、実施の形態１と同様であるのでそれ以外の説明を省略する。
【００７２】
そこで、以下では、まず、予約調整部７ｃでの予約調整に関する動作について説明する。
【００７３】
図１３は、予約調整部７ｃの動作をより詳細に説明するためのフローチャートである。
【００７４】
図１３において、図１２に示す予約調整部７ｃが予約調整開始Ｓ４１で予約調整をスタートすると、まず、予約設定部６から送られてきたアナログ予約設定情報に含まれる各々の予約番組に対して、デジタル放送用ＥＰＧ取得部９ａで取得されたデジタル放送用電子番組表情報に基づいて、各々の予約番組がサイマル放送であるか否かがＳ４２で判別される。サイマル放送である予約番組については、予約設定情報から得られたその予約番組の予約開始時刻及び予約終了時刻を、デジタル放送用ＥＰＧであるデジタル放送用電子番組表情報から得られたその予約番組の放送開始時刻及び放送終了時刻と比較し、それぞれに差異があるか否かをＳ４３で判別する。差異があれば、その予約番組の放送時間が変更されたとして、Ｓ４４において、デジタル予約設定情報に、その予約番組のデジタル放送用番組表情報から得られた放送開始時刻及び放送終了時刻を予約開始時刻及び予約終了時刻として設定し、予約調整終了Ｓ４５で予約調整部７ｃでの処理が終了する。
【００７５】
なお、Ｓ４２において、予約番組がサイマル放送でないと判別された場合は、直ちに、予約調整終了Ｓ４５にて予約調整部７ｃでの処理が終了する。また、Ｓ４３において、サイマル放送である予約番組の予約開始時刻及び予約終了時刻を、デジタル放送用電子番組表情報から得られたその予約番組の放送開始時刻及び放送終了時刻と比較し、それぞれに差異がないと判別された場合は、その予約番組の放送時間に変更が無かったとして、直ちに、予約調整終了Ｓ４５にて予約調整部７ｃでの処理が終了する。
【００７６】
図１４は、この発明に係る実施の形態５の番組予約装置のアナログ予約設定情報とデジタル予約設定情報の予約調整の一例を示す予約表である。
【００７７】
図１２に示す予約設定部６では、ユーザによって９：００〜１１：００のサイマル放送の番組が予約されていて、その結果、図１４の最も左側に示す内容のアナログ予約設定情報が予約設定部６から予約調整部７ｃに出力されているものとする。その後に、予約された番組の放送時間の変更があり、デジタル放送用ＥＰＧ情報、すなわち、デジタル放送用電子番組表情報から、図１４の中央左側に示すように予約された番組の放送開始時刻が１０：００、放送終了時刻が１２：００であるとの情報が知得されると、予約調整部７ｃでは、この予約されている番組がサイマル放送であると判別され、さらに、デジタル放送用電子番組表情報から得られる放送開始時刻及び放送終了時刻のそれぞれが、アナログ予約設定情報に含まれているこの予約されている番組の予約開始時刻及び予約終了時刻のそれぞれと差異があると判別されて、図１４の最も右側に示すように、予約調整部７ｃによって、この番組のデジタル放送用電子番組表情報から得られる放送開始時刻及び放送終了時刻を予約開始時刻及び予約終了時刻とするデジタル予約設定情報が設定される。なお、アナログ予約設定情報については、図１４の中央右側に示すように、既に設定されたままで変更はされない。従って、図１２に示す番組予約装置のアナログ放送予約番組出力部４からは、アナログ予約設定情報に基づいたアナログチャンネルに対応したアナログ放送映像出力信号が出力され、デジタル放送予約番組出力部１８からは、デジタル予約設定情報に基づいたデジタルチャンネルに対応したデジタル放送映像出力信号が出力されることとなる。
【００７８】
図１５は、この発明に係る実施の形態５の番組予約装置を適用した映像記録装置の構成を示す構成図である。図１０と同一符号は同一又は相当部分を示すので説明を省略する。
【００７９】
図１５において、番組予約装置１９から出力されるアナログ放送映像音声出力信号は、アナログ放送記録部１４に入力される。また、番組予約装置１９から出力されるデジタル放送映像音声出力信号は、デジタル放送記録部２０に入力される。アナログ放送記録部１４とデジタル放送記録部２０はアナログ放送映像音声出力信号とデジタル放送映像音声出力信号のいずれをも記録媒体１５ｂに記録する。この場合、記録媒体１５ｂに記録されたアナログ放送映像映像音声出力信号の録画データないしはデジタル放送映像音声出力信号の録画データのいずれか一方は、図１４から明らかなように、予約した番組以外の余計な部分を含んでいない。従って、録画データをわざわざ編集しなくても、余計な部分を含まない録画データを得ることができる。
【００８０】
この発明に係る実施の形態５の番組予約装置は、以上のように構成されているので、予約した番組の一部あるいは全部を録画ないしは視聴し損なうことを抑制できるだけでなく、それに加えて、この番組予約装置を映像記録装置に適用すると、アナログ放送映像音声出力信号の録画データかデジタル放送映像音声出力信号の録画データのいずれか一方は、予約した番組以外の余計な部分を含まない映像音声出力信号であるので、記録媒体に録画された番組をわざわざ編集しなくても、一方を選ぶだけで、番組以外の余計な部分を含まない録画を得ることができるという効果がある。
【図面の簡単な説明】
【００８１】
【図１】この発明に係る番組予約装置の実施の形態１の構成を示す構成図である。
【図２】予約設定部７ａの動作をより詳細に説明するためのフローチャートである。
【図３】この発明に係る実施の形態１の番組予約装置の予約設定情報の予約調整の一例を示す予約表である。
【図４】予約調整部７ａの動作をより詳細に説明するためのフローチャートである。
【図５】この発明に係る実施の形態１の別の番組予約装置の予約設定情報の予約調整の一例を示す予約表である。
【図６】予約調整部７ａの動作をより詳細に説明するためのフローチャートである。
【図７】この発明に係る実施の形態１のさらに別の番組予約装置の予約設定情報の予約調整の一例を示す予約表である。
【図８】この発明に係る番組予約装置の実施の形態２の一例の構成を示す構成図である。
【図９】この発明に係る番組予約装置の実施の形態２の別の一例の構成を示す構成図である。
【図１０】この発明に係る実施の形態３の映像記録装置の構成を示す構成図である。
【図１１】この発明に係る実施の形態４の映像表示装置の構成を示す構成図である。
【図１２】この発明に係る実施の形態５の番組予約装置の構成を示す構成図である。
【図１３】予約調整部７ｃの動作をより詳細に説明するためのフローチャートである。
【図１４】この発明に係る実施の形態５の番組予約装置のアナログ予約設定情報とデジタル予約設定情報の予約調整の一例を示す予約表である。
【図１５】この発明に係る実施の形態５の番組予約装置を適用した映像記録装置の構成を示す構成図である。
【符号の説明】
【００８２】
２  アナログ放送受信部
３  アナログ放送用映像音声符号化部
５ａ  アナログ放送用ＥＰＧ取得部
５ｂ  アナログ放送用ＥＰＧ取得部
６  予約設定部
７ａ  予約調整部
７ｂ  予約調整部
８ａ  デジタル放送受信部
８ｂ  デジタル放送受信部
９ａ  デジタル放送用ＥＰＧ取得部
９ｂ  デジタル放送用ＥＰＧ取得部
１０  チャンネルマップ情報作成部
１１  デジタル放送用解像度変更部
１２  波形比較部
１３  番組予約装置
１９  番組予約装置
【図１】
2008028692.tif 000003
【図２】
2008028692.tif 000004
【図３】
2008028692.tif 000005
【図４】
2008028692.tif 000006
【図５】
2008028692.tif 000007
【図６】
2008028692.tif 000008
【図７】
2008028692.tif 000009
【図８】
2008028692.tif 000010
【図９】
2008028692.tif 000011
【図１０】
2008028692.tif 000012
【図１１】
2008028692.tif 000013
【図１２】
2008028692.tif 000014
【図１３】
2008028692.tif 000015
【図１４】
2008028692.tif 000016
【図１５】
2008028692.tif 000017